(57)【要約】【課題】利用者がリアルタイムで自分がいる空間での風邪ウイルスからの感染を回避できる情報を入手できる風邪ウイルス伝播情報伝達システムを提供する。【解決手段】風邪ウイルス情報センタ装置１０と、複数の携帯情報端末２５と、複数の風邪ウイルス検知装置付携帯情報端末２０と、これらの端末を接続して情報を伝達する通信ネットワーク５０とを有している。風邪ウイルス情報センタ装置１０は、取得した風邪ウイルス情報を風邪ウイルス伝播情報として管理格納する手段と、管理する風邪ウイルス伝播情報を携帯情報端末と風邪ウイルス検知装置付携帯情報端末に送信する手段とを有し、風邪ウイルス検知装置付携帯情報端末２０は、風邪ウイルス検知装置が取り入れた外気から風邪ウイルスを検出して識別する手段と、識別した風邪ウイルスの情報を風邪ウイルス情報センタ装置１０に送信する手段と有する。【選択図】図１
2005275708.tif 000002
【特許請求の範囲】
【請求項１】
風邪ウイルス情報センタ装置と、複数の携帯情報端末と、複数の風邪ウイルス検知装置付携帯情報端末と、前記風邪ウイルス情報センタ装置と前記携帯情報端末と前記風邪ウイルス検知装置付携帯情報端末とを接続して情報を伝達する通信ネットワークとを有し、
前記風邪ウイルス情報センタ装置は、外部端末から取得した風邪ウイルス情報を風邪ウイルス伝播情報として管理格納する手段と、管理する風邪ウイルス伝播情報を前記携帯情報端末と前記風邪ウイルス検知装置付携帯情報端末に送信する手段とを有し、
前記風邪ウイルス検知装置付携帯情報端末は、風邪ウイルス検知装置が取り入れた外気から風邪ウイルスを検出して識別する手段と、識別した風邪ウイルスの情報を前記風邪ウイルス情報センタ装置に送信する手段とを有する、風邪ウイルス伝播情報伝達システム。
【請求項２】
さらに医療機関端末を有し、該医療機関端末は、風邪ウイルス情報を前記風邪ウイルス情報センタ装置に送信する手段と、前記風邪ウイルス情報センタ装置から前記風邪ウイルス伝播情報を取得する手段とを有する、請求項１に記載の風邪ウイルス伝播情報伝達システム。
【請求項３】
さらに公共機関端末を有し、該公共機関端末は、風邪ウイルス情報を前記風邪ウイルス情報センタ装置に送信する手段と、前記風邪ウイルス情報センタ装置から前記風邪ウイルス伝播情報を取得する手段とを有する、請求項１または請求項２に記載の風邪ウイルス伝播情報伝達システム。
【請求項４】
前記風邪ウイルス検知装置付携帯情報端末は、音声データ通信手段と風邪ウイルス検知装置とを有し、該風邪ウイルス検知装置は、
前記風邪ウイルス情報センタ装置より送信されるウイルスの形状、種類、感染度を含むウイルス識別情報を受信するウイルス識別情報入手部と、
前記ウイルス識別情報入手部で受信したウイルス識別情報を格納するウイルス識別情報格納部と、
空気取り込み口を持ち周囲から一定量の大気を表面に取り込める外気取入れ部と、
内蔵する光学系識別装置により前記外気取入れ部で取り込んだ外気中のウイルスの存在と形状とを認識するウイルス検出部と、
取り込んだ大気の容量と存在するウイルスの数からその存在と密度を計算する風邪ウイルス識別部と、
前記風邪ウイルス識別部の情報を前記ウイルス識別情報格納部に記憶しているウイルス識別情報と対比してウイルスの種類と感染度とを算出して風邪ウイルス情報を作成する風邪ウイルス情報作成部と、
作成された前記風邪ウイルス情報を前記風邪ウイルス情報センター装置に送信する風邪ウイルス情報送信部と、
風邪ウイルスの感染危険度を伝えるための視覚的、聴覚的なアラームを表示するアラーム発生部とを有する、請求項１から請求項３に記載の風邪ウイルス伝播情報伝達システム。
【請求項５】
複数の携帯情報端末と複数の風邪ウイルス検知装置付携帯情報端末とを含む外部端末に通信ネットワークで接続されており、
取得した風邪ウイルス情報を風邪ウイルス伝播情報として管理格納する手段と、管理する風邪ウイルス伝播情報を前記携帯情報端末と前記風邪ウイルス検知装置付携帯情報端末に送信する手段とを有する、風邪ウイルス情報センタ装置。
【請求項６】
前記通信ネットワークと接続する入力部および出力部と、データ処理装置と、記憶部とを備え、
前記データ処理装置は、
形状、種類、感染度を含むウイルス識別情報を外部端末から取得するウイルス識別情報取得手段と、
風邪ウイルス検知装置付携帯情報端末を含む外部端末から、風邪ウイルスの種類・密度、発生情報、位置情報を含む風邪ウイルス情報を取得する風邪ウイルス情報取得手段と、
前記風邪ウイルス情報取得手段で取得した風邪ウイルス情報を基に、格納されている情報を参照して分析整理を行って地域別風邪ウイルス伝播情報を制作する風邪ウイルス情報分析整理手段と、
前記地域別風邪ウイルス伝播情報をもとに地域別風邪ウイルス伝播音声情報を制作する風邪ウイルス音声情報制作手段と、
外部端末からの風邪ウイルス情報要求を受理して前記地域別風邪ウイルス伝播音声情報を送信するウイルス識別情報要求受理送信手段と、
前記風邪ウイルス検知装置付携帯情報端末からのウイルス識別情報要求を受理して前記ウイルス識別情報要求を送信するウイルス識別情報要求受理送信手段とを有し、
前記記憶部は、
前記ウイルス識別情報取得手段で取得したウイルス識別情報を格納するウイルス識別情報格納手段と、
前記風邪ウイルス情報分析整理手段で制作された地域別風邪ウイルス伝播情報を格納する地域別風邪ウイルス伝播情報格納手段と、
前記風邪ウイルス音声情報制作手段で制作された地域別風邪ウイルス伝播音声情報を格納する地域別風邪ウイルス伝播音声情報格納手段とを有する、請求項５に記載の風邪ウイルス情報センタ装置。
【請求項７】
さらに、前記データ処理装置は、
前記地域別風邪ウイルス伝播情報をもとに地域別風邪ウイルス伝播情報ホームページの内容を制作する風邪ウイルス情報ホームページ制作手段と、
外部端末からのホームページ閲覧要求を受理して前記地域別風邪ウイルス伝播情報ホームページを送信するホームページ閲覧要求受理送信手段とを有し、
前記記憶部は、
前記風邪ウイルス情報ホームページ制作手段で制作された地域別風邪ウイルス伝播情報ホームページを格納する地域別風邪ウイルス伝播情報ホームページ格納手段を有する、請求項６に記載の風邪ウイルス情報センタ装置。
【請求項８】
風邪ウイルス情報センタ装置と、複数の携帯情報端末と、複数の風邪ウイルス検知装置付携帯情報端末と、前記風邪ウイルス情報センタ装置と前記携帯情報端末と前記風邪ウイルス検知装置付携帯情報端末とを接続して情報を伝達する通信ネットワークとを有し、前記風邪ウイルス情報センタ装置は、取得した風邪ウイルス情報を風邪ウイルス伝播情報として管理格納する手段と、管理する風邪ウイルス伝播情報を前記携帯情報端末と前記風邪ウイルス検知装置付携帯情報端末に送信する手段とを有し、前記風邪ウイルス検知装置付携帯情報端末は、風邪ウイルス検知装置が取り入れた外気から風邪ウイルスを検出して識別する手段と、識別した風邪ウイルスの情報を前記風邪ウイルス情報センタ装置に送信する手段と有する風邪ウイルス伝播情報伝達システムにおける風邪ウイルス伝播情報伝達方法であって、
前記風邪ウイルス検知装置付携帯情報端末の風邪ウイルス検知装置が取り入れた外気から風邪ウイルスを検出して識別して風邪ウイルスの情報を前記風邪ウイルス情報センタ装置に送信するステップと、
前記風邪ウイルス情報センタ装置が外部端末から風邪ウイルスの情報を取得し、取得した情報を分析整理して地域別風邪ウイルス伝播情報を作成して格納するステップと、
前記地域別風邪ウイルス伝播情報から地域別風邪ウイルス伝播音声情報を作成して格納し、外部端末からの要求に対応して地域別風邪ウイルス伝播音声情報を送信するステップとを有する、風邪ウイルス伝播情報伝達方法。
【請求項９】
さらに医療機関端末と公共機関端末とが前記通信ネットワークに接続されており、前記医療機関端末と前記公共機関端末とから風邪ウイルスの情報を前記風邪ウイルス情報センタ装置に送信するステップを含む、請求項８に記載の風邪ウイルス伝播情報伝達方法。
【請求項１０】
さらに、前記地域別風邪ウイルス伝播情報から地域別風邪ウイルス伝播情報ホームページを作成して格納し、外部端末からの要求に対応して地域別風邪ウイルス伝播情報ホームページを送信するステップとを有する、請求項８または請求項９に記載の風邪ウイルス伝播情報伝達方法。
【請求項１１】
前記地域別風邪ウイルス伝播情報において感染度が所定の値を超える場合には、前記風邪ウイルス情報センタ装置が前記通信ネットワークに接続する所定の端末に地域別風邪ウイルス伝播情報と警告とを送信するステップを有する、請求項８から請求項１０のいずれか１項に記載の風邪ウイルス伝播情報伝達方法。
【請求項１２】
前記風邪ウイルス情報センタ装置は受信した携帯情報端末の現在地を検索する機能を有し、前記地域別風邪ウイルス伝播情報から前記現在地に対応する地域の風邪ウイルス伝播情報を選択して送信するステップを有する、請求項８から請求項１１のいずれか１項に記載の風邪ウイルス伝播情報伝達方法。
【発明の詳細な説明】
【技術分野】
【０００１】
本発明は風邪ウイルス伝播情報伝達システムに関し、特に風邪ウイルス検知装置付携帯情報端末からの風邪ウイルス情報を利用できる風邪ウイルス伝播情報伝達システムに関する。
【背景技術】
【０００２】
従来、健康に関連の深い温度、湿度、気圧等の環境データについては測定した環境データに急激な変化があったり、特定の環境パターンであると判断された場合にはメッセージや警告を使用者に提供する環境報知時計が開示されている（特許文献１参照）。また、個人が計測した体脂肪率等の健康管理データを携帯電話を介して記録管理する健康管理支援システムが開示されている（特許文献２参照）。
【特許文献１】特開２００３−５０２８５号公報
【特許文献２】特開２００３−７９５９２号公報
【発明の開示】
【発明が解決しようとする課題】
【０００３】
最近は健康に関する一般の関心は高まり生活習慣病予防に対する情報も多く、特許文献２に記載の健康管理システムもこの一環である。冬季間におけるインフルエンザの蔓延も大きな問題となっており予防注射の接種も行なわれているが、個人にて風邪ウイルスの存在を確認する手段はなく、風邪ウイルスが存在する空間にいた場合には、その風邪ウイルスに感染する可能性が高いとされていたが、風邪ウイルスの存在確認が困難な一般人にとってその感染を事前に回避することはできなかった。
【０００４】
本発明の目的は、医療機関、公共機関の他、個人の風邪ウイルス検知装置付携帯情報端末で得られたインフルエンザ情報を蓄積し、インフルエンザ予防のための情報を広く伝達できる風邪ウイルス伝播情報伝達システムと風邪ウイルス情報センター装置および風邪ウイルス伝播情報伝達方法を提供することにある。
【課題を解決するための手段】
【０００５】
本発明の風邪ウイルス伝播情報伝達システムは、
風邪ウイルス情報センタ装置と、複数の携帯情報端末と、複数の風邪ウイルス検知装置付携帯情報端末と、風邪ウイルス情報センタ装置と携帯情報端末と風邪ウイルス検知装置付携帯情報端末とを接続して情報を伝達する通信ネットワークとを有している。風邪ウイルス情報センタ装置は、取得した風邪ウイルス情報を風邪ウイルス伝播情報として管理格納する手段と、管理する風邪ウイルス伝播情報を携帯情報端末と風邪ウイルス検知装置付携帯情報端末に送信する手段とを有し、風邪ウイルス検知装置付携帯情報端末は、風邪ウイルス検知装置が取り入れた外気から風邪ウイルスを検出して識別する手段と、識別した風邪ウイルスの情報を風邪ウイルス情報センタ装置に送信する手段とを有する。
【０００６】
さらに医療機関端末、公共機関端末を有し、その端末は、風邪ウイルス情報を風邪ウイルス情報センタ装置に送信する手段と、風邪ウイルス情報センタ装置から風邪ウイルス伝播情報を取得する手段とを有していてもよい。
【０００７】
風邪ウイルス検知装置付携帯情報端末は、音声データ通信手段と風邪ウイルス検知装置とを有し、その風邪ウイルス検知装置は、風邪ウイルス情報センタ装置より送信されるウイルスの形状、種類、感染度を含むウイルス識別情報を受信するウイルス識別情報入手部と、ウイルス識別情報入手部で受信したウイルス識別情報を格納するウイルス識別情報格納部と、空気取り込み口を持ち周囲から一定量の大気を表面に取り込める外気取入れ部と、内蔵する光学系識別装置により外気取入れ部で取り込んだ外気中のウイルスの存在と形状とを認識するウイルス検出部と、取り込んだ大気の容量と存在するウイルスの数からその存在と密度を計算する風邪ウイルス識別部と、風邪ウイルス識別部の情報を前記ウイルス識別情報格納部に記憶しているウイルス識別情報と対比してウイルスの種類と感染度とを算出して風邪ウイルス情報を作成する風邪ウイルス情報作成部と、作成された風邪ウイルス情報を風邪ウイルス情報センター装置に送信する風邪ウイルス情報送信部と、風邪ウイルスの感染危険度を伝えるための視覚的、聴覚的なアラームを表示するアラーム発生部とを有していてもよい。
【０００８】
本発明の風邪ウイルス情報センター装置は、
複数の携帯情報端末と複数の風邪ウイルス検知装置付携帯情報端末とを含む外部端末に通信ネットワークで接続されており、取得した風邪ウイルス情報を風邪ウイルス伝播情報として管理格納する手段と、管理する風邪ウイルス伝播情報を携帯情報端末と風邪ウイルス検知装置付携帯情報端末に送信する手段とを有する。
【０００９】
通信ネットワークと接続する入力部および出力部と、データ処理装置と、記憶部とを備え、データ処理装置は、形状、種類、感染度を含むウイルス識別情報を外部端末から取得するウイルス識別情報取得手段と、風邪ウイルス検知装置付携帯情報端末を含む外部端末から、風邪ウイルスの種類密度、発生情報、位置情報を含む風邪ウイルス情報を取得する風邪ウイルス情報取得手段と、風邪ウイルス情報取得手段で取得した風邪ウイルス情報を基に、格納されている情報を参照して分析整理を行って地域別風邪ウイルス伝播情報を制作する風邪ウイルス情報分析整理手段と、地域別風邪ウイルス伝播情報をもとに地域別風邪ウイルス伝播音声情報を制作する風邪ウイルス音声情報制作手段と、外部端末からの風邪ウイルス情報要求を受理して地域別風邪ウイルス伝播音声情報を送信するウイルス識別情報要求受理送信手段と、風邪ウイルス検知装置付携帯情報端末からのウイルス識別情報要求を受理してウイルス識別情報要求を送信するウイルス識別情報要求受理送信手段とを有し、記憶部は、ウイルス識別情報取得手段で取得したウイルス識別情報を格納するウイルス識別情報格納手段と、風邪ウイルス情報分析整理手段で制作された地域別風邪ウイルス伝播情報を格納する地域別風邪ウイルス伝播情報格納手段と、風邪ウイルス音声情報制作手段で制作された地域別風邪ウイルス伝播音声情報を格納する地域別風邪ウイルス伝播音声情報格納手段とを有していてもよく、さらに、データ処理装置は、地域別風邪ウイルス伝播情報をもとに地域別風邪ウイルス伝播情報ホームページの内容を制作する風邪ウイルス情報ホームページ制作手段と、外部端末からのホームページ閲覧要求を受理して地域別風邪ウイルス伝播情報ホームページを送信するホームページ閲覧要求受理送信手段とを有し、記憶部は、風邪ウイルス情報ホームページ制作手段で制作された地域別風邪ウイルス伝播情報ホームページを格納する地域別風邪ウイルス伝播情報ホームページ格納手段を有していてもよい。
【００１０】
本発明の風邪ウイルス伝播情報伝達方法は、
風邪ウイルス検知装置付携帯情報端末の風邪ウイルス検知装置が取り入れた外気から風邪ウイルスを検出して識別して風邪ウイルスの情報を風邪ウイルス情報センタ装置に送信するステップと、風邪ウイルス情報センタ装置が外部端末から風邪ウイルスの情報を取得し、取得した情報を分析整理して地域別風邪ウイルス伝播情報を作成して格納するステップと、地域別風邪ウイルス伝播情報から地域別風邪ウイルス伝播音声情報を作成して格納し、外部端末からの要求に対応して地域別風邪ウイルス伝播音声情報を送信するステップとを有する。
【００１１】
さらに、地域別風邪ウイルス伝播情報から地域別風邪ウイルス伝播情報ホームページを作成して格納し、外部端末からの要求に対応して地域別風邪ウイルス伝播情報ホームページを送信するステップとを有してもよく、地域別風邪ウイルス伝播情報において感染度が所定の値を超える場合には、風邪ウイルス情報センタ装置が通信ネットワークに接続する所定の端末に地域別風邪ウイルス伝播情報と警告とを送信するステップを有してもよく、風邪ウイルス情報センタ装置は受信した携帯情報端末の現在地を検索する機能を有し、地域別風邪ウイルス伝播情報から現在地に対応する地域の風邪ウイルス伝播情報を選択して送信するステップを有してもよい。
【００１２】
本発明の風邪ウイルス伝播情報伝達システムは、利用者に対しリアルタイムで一定空間における風邪ウイルス感染危険度通知を提供する。より具体的には、個人が携帯する情報端末に空間における風邪ウイルスの存在を確認し感染度を予測する装置が設けられ、検出結果をセンタ装置に送信するとともに回避行動を取れる指標が出力される。
【発明の効果】
【００１３】
本発明の風邪ウイルス伝播情報伝達システムは、風邪ウイルス情報センタ装置が風邪ウイルス伝播情報を集積して通信ネットワークを通じて接続する端末に地域別風邪ウイルス伝播情報として提供するとともに、風邪ウイルス検知装置付携帯情報端末が現在地の風邪ウイルスの情報を取得できるのでその情報を風邪ウイルス情報センタ装置に提供するとともに現在地の風邪ウイルスの感染の危険性が高い場合には警報を発生するので、携帯情報端末の使用者は地域別風邪ウイルス伝播情報によってインフルエンザの感染を回避でき、風邪ウイルス検知装置付携帯情報端末の使用者は、さらに現在地の風邪ウイルスの感染度に対応した行動を取れるという効果がある。
【発明を実施するための最良の形態】
【００１４】
次に、本発明の実施の形態について図面を参照して説明する。図１は本発明の実施の形態の風邪ウイルス伝播情報伝達システムの模式的ブロック構成図である。本発明の風邪ウイルス伝播情報伝達システム１は、中核となる風邪ウイルス情報センター装置１０と、風邪ウイルス検知機能を有する風邪ウイルス検知装置を備え検知結果を風邪ウイルス情報センター装置１０に送信可能な風邪ウイルス検知装置付携帯情報端末２０と、風邪ウイルス情報センター装置１０からの情報を受信可能な携帯情報端末２５と、インフルエンザの診断治療を行う医療機関に管理されている医療機関端末３０と、風邪ウイルス伝播情報を入手して予防に活用する公共機関に管理されている公共機関端末４０と、これらと接続して情報を伝達するインターネットなどの通信ネットワーク５０とから構成される。医療機関端末３０と公共機関端末４０は必ずしもシステムに組み込まれる必要はない。
【００１５】
図２は本実施の形態の風邪ウイルス情報センタ装置のブロック構成図である。風邪ウイルス情報センタ装置１０は入力部１１、データ処理装置１２、記憶部１４、出力部１５、マイク１１１、ユーザ入力部１１２、画像表示部１５１、スピーカ１５２を備え、入力部１１は通信ネットワーク５０と接続し、マイク１１１から音声を、ユーザ入力部１１２からオペレータの指示を入力できる。出力部１５は通信ネットワーク５０と接続し、データを画像表示部１５１に表示し、必要に応じスピーカ１５２から音声が発信される。データ処理装置１２は、中央処理部１３９、ウイルス識別情報取得部１２１、風邪ウイルス情報取得部１２２、風邪ウイルス情報分析整理部１２３、風邪ウイルス情報ホームページ制作部１２４、風邪ウイルス音声情報制作部１２５、ホームページ閲覧要求受理部１２６、ホームページ送信部１２７、風邪ウイルス情報要求受理部１２８、風邪ウイルス情報送信部１２９、ウイルス識別情報要求受理部１３０、ウイルス識別情報送信部１３１を有し、記憶部１４は、ウイルス識別情報格納部１４１、地域別風邪ウイルス伝播情報格納部１４２、地域別風邪ウイルス伝播情報ホームページ格納部１４３、地域別風邪ウイルス伝播音声情報格納部１４４、エリア地図情報格納部１４５を有する。
【００１６】
風邪ウイルス情報センター装置１０は、ワークステーション・サーバー等の情報処理装置によって構成され、ウイルス識別情報取得部１２１で取得されたウイルス識別情報をウイルス識別情報格納部１４１に格納する機能と、予めエリア地図情報をエリア地図情報格納部１４５に格納する機能を有する。
【００１７】
また、風邪ウイルス情報取得部１２２で医療機関端末３０、公共機関端末４０、および利用者の風邪ウイルス検知装置付携帯情報端末２１から入手したインフルエンザの症状、風邪ウイルスの種類・密度、発生情報、位置情報を含む風邪ウイルス情報を基に、風邪ウイルス情報分析整理部１２３でウイルス識別情報格納部１４１および地域別風邪ウイルス伝播情報格納部１４２に蓄積されたインフルエンザに関するデータとの対照解析によって分析整理し、エリア地図情報を参照して地域別風邪ウイルス伝播情報格納部１４２に蓄積されたインフルエンザに関するデータを更新する機能と、風邪ウイルス伝播情報ホームページ作成部１２４によって地域別風邪ウイルス伝播情報をもとにホームページの内容を制作して地域別風邪ウイルス伝播情報ホームページ格納部１４３に格納する機能と、風邪ウイルス音声情報制作部１２５によって地域別風邪ウイルス伝播情報をもとに音声情報を制作して地域別風邪ウイルス伝播音声情報格納部１４４に格納する機能とを有する。
【００１８】
さらに、ホームページ閲覧要求受理部１２６がホームページ閲覧要求を受理すると、ホームページ送信部１２７が地域別風邪ウイルス伝播情報ホームページ格納部１４３から地域別風邪ウイルス伝播情報ホームページを読み出して要求者に送付する機能と、風邪ウイルス情報要求受理部１２８が音声による風邪ウイルス情報要求を受理すると、風邪ウイルス送信部１２９が地域別風邪ウイルス伝播音声情報格納部１４４から地域別風邪ウイルス伝播音声情報を読み出して要求者に送信する機能と、ウイルス識別情報要求受理部１３０が風邪ウイルス検知装置付携帯情報端末２１からウイルス識別情報要求を受理すると、ウイルス識別情報送信部１３１がウイルス識別情報格納部１４１からウイルス識別情報を読み出して送信する機能を有する。ここでホームページは必ずしも制作しなくてもよい。
【００１９】
このように、インターネット接続機能を有する携帯情報端末２０、２５はホームページにアクセスして風邪ウイルス伝播情報を入手できる。また通常の電話機能によっても風邪ウイルス情報センター装置１０から風邪ウイルス伝播情報を入手できる。この場合自動音声応答システムを用いてもよい。
【００２０】
携帯情報端末２５および風邪ウイルス検知装置付携帯情報端末２０は、音声・データ通信機能をもった携帯電話である。図３は風邪ウイルス検知装置付携帯情報端末２０のブロック構成図である。風邪ウイルス検知装置付携帯情報端末２０は通常の携帯情報端末としての音声データ通信部２１と風邪ウイルス検知装置２２とを有する。風邪ウイルス検知装置２２は、ウイルス識別情報入手部２２１、ウイルス識別情報格納部２２２、外気取入れ部２２３、ウイルス検出部２２４、風邪ウイルス識別部２２５、風邪ウイルス情報作成部２２６、風邪ウイルス情報送信部２２７、アラーム発生部２２８を有する。
【００２１】
風邪ウイルス検知装置付携帯情報端末２０は、ウイルス識別情報入手部２２１で風邪ウイルス情報センタ装置１０より送信される形状、種類、感染度（存在密度を指標とした）等のウイルス識別情報を受信する機能と、受信したウイルス識別情報をウイルス識別情報格納部２２２に記憶する機能と、空気取り込み口を持ち周囲から一定量の大気を表面に取り込める外気取入れ部２２３とウイルス検出部２２４に内蔵する光学系識別装置によりウイルスの存在と形状を認識し、風邪ウイルス識別部２２５において取り込まれた大気の容量と存在するウイルスの数からその存在密度を計算して算出し、風邪ウイルス情報作成部２２６でウイルス識別情報格納部２２２に記憶しているウイルス識別情報と対比してウイルスの種類と感染度とを識別して風邪ウイルス情報を作成する機能と、風邪ウイルス情報送信部２２７によって作成した風邪ウイルス情報を風邪ウイルス情報センター装置１０に送信する機能と、アラーム発生部２２８によって風邪ウイルスの感染危険度を伝えるための視覚的、聴覚的なアラームを表示するアラーム表示機能とを備えている。
【００２２】
外気取入れ部２２３は表面に周囲から一定量の大気を取り込める空気取り込み口を有し、例えば端末の筐体の開閉動作による風圧や、機械的な送排風動作により大気を取り込む。ウイルス検出部２２４は、例えば電子銃、収束レンズ、試料空間、対物レンズ、中間レンズ、投射レンズを備えた小型の透過型電子顕微鏡を備えていてもよい。風邪ウイルス識別部２２５はウイルス検出部２２４で生成した画像のウイルスの形状、種類を解析して、感染度を判定する。
【００２３】
次に、本発明の風邪ウイルス伝播情報伝達システム１の動作について説明する。図４は本発明の風邪ウイルス伝播情報伝達システムの動作を説明するフローチャートである。風邪ウイルス情報センタ装置１０は、予めエリア地図情報格納部１４５にエリア地図情報を格納し（Ｓ１０１）、ウイルス識別情報格納部１４１にウイルス識別情報を格納して、ステップＳ１０３に進み（Ｓ１０２）、識別情報要求がなければステップＳ１０５に進む（Ｓ１０３Ｎ）。ここでウイルス識別情報とは、ウイルスを特定するための形状、種類および、空間における存在密度を指標とした感染度等である。
【００２４】
風邪ウイルス検知装置付携帯情報端末２０は、ウイルス識別情報入手部２２１により風邪ウイルス情報センタ装置１０にウイルス識別情報を要求し（Ｓ２０１）、識別情報要求を受けた風邪ウイルス情報センタ装置１０は（Ｓ１０３Ｙ）、ウイルス識別情報を風邪ウイルス検知装置付携帯情報端末２０に送信してステップＳ１０５に進み（Ｓ１０４）、風邪ウイルス検知装置付携帯情報端末２０は取得したウイルス識別情報をウイルス識別情報格納部２２２に格納し（Ｓ２０２）、ウイルス検知を行はないのであればステップＳ５０１に進む（Ｓ２０３Ｎ）。
【００２５】
ウイルス検知を行なうのであれば（Ｓ２０３Ｙ）、風邪ウイルス検知操作を行なう（Ｓ２０４）。風邪ウイルス検知操作では、外気取入れ部２２３が取り込み口から空間の表面に一定量の大気を取り込み、ウイルス検出部２２４が内蔵する光学系識別装置によりウイルスを検出し、風邪ウイルス識別部２２５がウイルスの存在、種類を判別し、取り込んだ大気の容量と存在するウイルスの数からその存在密度を計算・算出し、風邪ウイルス情報作成部２２６が風邪ウイルス情報センター装置１０より入手した情報と確認したウイルスとを比較しウイルスの識別を行なう。
【００２６】
ウイルス情報にないウイルスと判断した場合には（Ｓ２０５Ｙ）、風邪ウイルス情報を風邪ウイルス情報センタ装置１０に送信してステップＳ２０７に進み（Ｓ２０６）、ウイルス情報にあるウイルスと判断した場合にも（Ｓ２０５Ｎ）、ステップＳ２０７に進む。風邪ウイルスの場合には、存在密度の情報から感染度を判断し、感染度が高いと判断されれば（Ｓ２０７Ｙ）、アラームを表示してステップＳ５０１に進み（Ｓ２０８）、感染度が低いと判断されればステップＳ５０１に進む（Ｓ２０７Ｎ）。アラーム表示とは、視覚および聴覚にて確認できる手段である。
【００２７】
医療機関端末３０は情報を送付するのであれば（Ｓ３０１Ｙ）、風邪ウイルス情報を風邪ウイルス情報センタ装置１０に送信してステップＳ５０１に進み（Ｓ３０２）、送付しないのであればステップＳ５０１に進む（Ｓ３０１Ｎ）。公共機関端末４０は情報を送付するのであれば（Ｓ４０１Ｙ）、風邪ウイルス情報を風邪ウイルス情報センタ装置１０に送信してステップＳ５０１に進み（Ｓ４０２）、送付しないのであればステップＳ５０１に進む（Ｓ４０１Ｎ）。携帯情報端末２５はステップＳ５０１から始まる。
【００２８】
風邪ウイルス情報センタ装置１０は、ステップＳ１０５で新しい風邪ウイルス情報、インフルエンザ情報がなければステップＳ１１０に進み（Ｓ１０５Ｎ）、新しい風邪ウイルス情報、インフルエンザ情報を風邪ウイルス情報取得部１２２が取得すれば（Ｓ１０５Ｙ）、風邪ウイルス情報分析整理部１２３で情報を分析整理して（Ｓ１０６）、地域別風邪ウイルス伝播情報格納部１４２に格納し（Ｓ１０７）、風邪ウイルス情報ホームページ制作部１２４が地域別風邪ウイルス伝播情報ホームページの内容を制作して地域別風邪ウイルス伝播情報ホームページ格納部１４３に格納し（Ｓ１０８）、風邪ウイルス音声情報制作部１２５が地域別風邪ウイルス伝播音声情報を制作して地域別風邪ウイルス伝播音声情報格納部１４４に格納して（Ｓ１０９）、ステップＳ１１０に進んでホームページの閲覧要求を確認し、ホームページ閲覧要求がなければステップＳ１１２へ進む（Ｓ１１０Ｎ）。
【００２９】
風邪ウイルス検知装置付携帯情報端末２０、携帯情報端末２５、医療機関端末３０、および公共機関端末４０は、ステップＳ５０１で、風邪ウイルス情報要求をしないのであればステップＳ５０８に進み（Ｓ５０１Ｎ）、風邪ウイルス情報要求をするのであればステップＳ５０２に進み（Ｓ５０１Ｙ）、ステップＳ５０２ではホームページを検索しないのであればステップＳ５０５に進み（Ｓ５０２Ｎ）、するのであれば（Ｓ５０２Ｙ）、風邪ウイルス情報センタ装置１０にホームページ閲覧要求を行なう（Ｓ５０３）。風邪ウイルス情報センタ装置１０は、ホームページ閲覧要求受理部１２６がホームページ閲覧要求を受理すると（Ｓ１１０Ｙ）、ホームページ送信部１２７が地域別風邪ウイルス伝播情報ホームページ格納部１４３から地域別風邪ウイルス伝播情報ホームページを読み出して送信してステップＳ１１２へ進み（Ｓ１１１）、音声情報の要求がなければステップ１１４に進み（Ｓ１１２Ｎ）、各端末はホームページを受信するとＳ５０８に進む（Ｓ５０４）。
【００３０】
ステップＳ５０５では、音声情報要求をしないのであればステップＳ５０８に進み（Ｓ５０５Ｎ）、するのであれば（Ｓ５０５Ｙ）、風邪ウイルス情報センタ装置１０に音声情報要求を行なう（Ｓ５０６）。風邪ウイルス情報センタ装置１０は、風邪ウイルス情報要求受理部１２８が音声情報要求を受理すると（Ｓ１１２Ｙ）、風邪ウイルス情報送信部１２９が地域別風邪ウイルス伝播音声情報格納部１４４から地域別風邪ウイルス伝播音声情報を読み出して送信してステップ１１４に進み（Ｓ１１３）、各端末は音声情報を受信してＳ５０８に進む（Ｓ５０７）。
【００３１】
ステップＳ５０８では処理終了でなければ（Ｓ５０８Ｎ）、それぞれの端末のステップＳ２０３、Ｓ３０１、Ｓ４０１、Ｓ５０１に戻り、処理終了であれば（Ｓ５０８Ｙ）、処理を終了する。またステップＳ１１４では処理終了でなければ（Ｓ１１４Ｎ）、ステップＳ１０３に戻り、処理終了であれば（Ｓ１１４Ｙ）、処理を終了する。
【００３２】
ここで、医療機関端末３０、公共機関端末４０、およびホームページは必ずしも設けられなくてもよい。また、携帯情報端末２０、２５からの要求によりホームページあるいは音声により地域別風邪ウイルス伝播情報を提供しているが、地域指定の手段を設け指定された地域の情報のみを提供するようにしてもよく、要求のあった携帯情報端末２０、２５の所在地を検索してその地域の情報のみを提供するようにしてもよく、その地域の感染度が所定の値以上になった場合には予め登録された携帯情報端末２０、２５に対して警戒情報を送信するようにしてもよい。
【００３３】
携帯情報端末は携帯電話のみでなくＰＨＳやＰＤＡであってもよい。風邪ウイルス検知装置付携帯情報端末は、携帯情報端末に風邪ウイルス検知装置が組み込まれたものであってもよく、風邪ウイルス検知装置が外付けで取り外し可能となっているものでもよい。
【００３４】
風邪ウイルス情報センタ装置の設置場所は特に制限されないが、例えば保健所のような流行性疾患を監視して予防する機関に設けることが望ましい。
【００３５】
以上のように、本実施の形態により利用者は携帯情報端末を利用して地域別風邪ウイルス伝播情報を確認することができ風邪の感染を回避する行動を取ることができる。
【図面の簡単な説明】
【００３６】
【図１】本発明の実施の形態の風邪ウイルス伝播情報伝達システムの模式的ブロック構成図である。
【図２】本実施の形態の風邪ウイルス情報センタ装置のブロック構成図である。
【図３】風邪ウイルス検知装置付携帯情報端末のブロック構成図である。
【図４】本発明の風邪ウイルス伝播情報伝達システムの動作を説明するフローチャートである。
【符号の説明】
【００３７】
１    風邪ウイルス伝播情報伝達システム
１０    風邪ウイルス情報センター装置
１１    入力部
１２    データ処理装置
１４    記憶部
１５    出力部
２０    風邪ウイルス検知装置付携帯情報端末
２１    音声データ通信部
２２    風邪ウイルス検知装置
２５    携帯情報端末
３０    医療機関端末
４０    公共機関端末
５０    通信ネットワーク
１１１    マイク
１１２    ユーザ入力部
１２１    ウイルス識別情報取得部
１２２    風邪ウイルス情報取得部
１２３    風邪ウイルス情報分析整理部
１２４    風邪ウイルス情報ホームページ制作部
１２５    風邪ウイルス音声情報制作部
１２６    ホームページ閲覧要求受理部
１２７    ホームページ送信部
１２８    風邪ウイルス情報要求受理部
１２９    風邪ウイルス情報送信部
１３０    ウイルス識別情報要求受理部
１３１    ウイルス識別情報送信部
１３９    中央処理部
１４１    ウイルス識別情報格納部
１４２    地域別風邪ウイルス伝播情報格納部
１４３    地域別風邪ウイルス伝播情報ホームページ格納部
１４４    地域別風邪ウイルス伝播音声情報格納部
１４５    エリア地図情報格納部
１５１    画像表示部
１５２    スピーカ
２２１    ウイルス識別情報入手部
２２２    ウイルス識別情報格納部
２２３    外気取入れ部
２２４    ウイルス検出部
２２５    風邪ウイルス識別部
２２６    風邪ウイルス情報作成部
２２７    風邪ウイルス情報送信部
２２８    アラーム発生部
Ｓ１０１〜Ｓ１１４、Ｓ２０１〜Ｓ２０８、Ｓ３０１、Ｓ３０２、Ｓ４０１、Ｓ４０２、Ｓ５０１〜Ｓ５０８    ステップ
【図１】
2005275708.tif 000003
【図２】
2005275708.tif 000004
【図３】
2005275708.tif 000005
【図４】
2005275708.tif 000006